(57)【要約】      （修正有）【課題】折り畳み可能な筐体の内側に折り畳み可能なディスプレイを備えている電子機器は、筐体を折り畳んだ際に、筐体の側面や裏面からディスプレイを視認することができなかった。筐体の側面や裏面からもディスプレイを視認可能な電子機器を提供する。【解決手段】電子機器１Ａは、板状に形成された第１筐体１０と、第１筐体のオモテ面１１、側面１２、及び裏面１３を連続して覆うディスプレイ２０と、を備える。これにより、筐体の側面や裏面からもディスプレイを視認可能な電子機器を提供する。【選択図】図１
2020061084.tif 000002
【特許請求の範囲】
【請求項１】
板状に形成された第１筐体と、
前記第１筐体のオモテ面、側面、及び裏面を連続して覆うディスプレイと、を備える、
電子機器。
【請求項２】
前記側面の少なくとも一部が曲面となっている、請求項１に記載の電子機器。
【請求項３】
ヒンジを介して前記第１筐体に連結された第２筐体をさらに備え、
前記第１筐体及び前記第２筐体は、それぞれのオモテ面が互いに対向するように前記ヒンジ回りに折り畳まれように構成され、
前記ディスプレイは、前記第１筐体の前記裏面から前記側面及び前記オモテ面を経由して前記第２筐体の前記オモテ面までを連続して覆っている、請求項１または２に記載の電子機器。
【請求項４】
前記ディスプレイは、前記第１筐体の前記裏面から、前記第１筐体の前記側面及び前記オモテ面、並びに前記第２筐体の前記オモテ面を経由して、前記第２筐体の側面までを連続して覆っている、請求項３に記載の電子機器。
【請求項５】
前記ディスプレイは、前記第１筐体の前記裏面から、前記第１筐体の前記側面及び前記オモテ面、並びに前記第２筐体の前記オモテ面及び前記側面を経由して、前記第２筐体の裏面までを連続して覆っている、請求項４に記載の電子機器。
【請求項６】
前記ディスプレイの表面に形成されたタッチセンサと、
前記タッチセンサを制御する制御部と、をさらに備え、
前記制御部は、
前記第１筐体及び前記第２筐体が開いた開状態では、前記タッチセンサのうち、少なくとも前記第１筐体の前記オモテ面及び前記第２筐体の前記オモテ面を覆う部分を有効とし、
前記第１筐体及び前記第２筐体が折り畳まれた閉状態では、前記タッチセンサのうち、少なくとも前記第１筐体の前記裏面及び前記側面を覆う部分を有効とする、請求項３から５のいずれか一項に記載の電子機器。
【発明の詳細な説明】
【技術分野】
【０００１】
本発明は、電子機器に関する。
【背景技術】
【０００２】
従来から、下記特許文献１に示されるような電子機器が知られている。この電子機器は、折り畳み可能な筐体の内側に折り畳み可能なディスプレイを備えている。
【先行技術文献】
【特許文献】
【０００３】
【特許文献１】特開２０１８−１３８５０号公報
【発明の概要】
【発明が解決しようとする課題】
【０００４】
上記の電子機器では、筐体を折り畳んだ際に、筐体の側面や裏面からディスプレイを視認することができなかった。
【０００５】
本発明はこのような事情を考慮してなされ、筐体の側面や裏面からもディスプレイを視認可能な電子機器を提供することを目的とする。
【課題を解決するための手段】
【０００６】
上記課題を解決するために、本発明の一態様に係る電子機器は、板状に形成された第１筐体と、前記第１筐体のオモテ面、側面、及び裏面を連続して覆うディスプレイと、を備える。
【発明の効果】
【０００７】
本発明の上記態様によれば、筐体の側面や裏面からもディスプレイを視認可能な電子機器を提供することができる。
【図面の簡単な説明】
【０００８】
【図１】第１実施形態に係る電子機器の概略図である。
【図２】第１実施形態の変形例に係る電子機器の概略図である。
【図３】第２実施形態に係る電子機器の概略図である。
【図４】図３の電子機器を開いた状態とした概略図である。
【図５】（ａ）は図３に対応する斜視図であり、（ｂ）は図４に対応する斜視図である。
【発明を実施するための形態】
【０００９】
（第１実施形態）
以下、第１実施形態の電子機器について図面に基づいて説明する。
図１に示すように、電子機器１Ａは、第１筐体１０と、第１筐体１０の表面に設けられたディスプレイ２０と、を備えている。第１筐体１０の内部には、電源や制御基板などの電子部品（不図示）が収容されている。ディスプレイ２０は、これらの電子部品に接続されている。接続の方法は、有線接続であってもよいし、無線接続であってもよい。
【００１０】
ディスプレイ２０は、可撓性（柔軟性）を有するフィルム状の表示装置である。ディスプレイ２０の方式としては、有機ＥＬ（Organic Electro-Luminescence）などを用いることができる。ディスプレイ２０の表面には、タッチセンサが設けられていてもよい。また、第１筐体１０の内部には、上記タッチセンサを制御する制御部が設けられていてもよい。
【００１１】
第１筐体１０は、扁平な板状に形成されており、オモテ面１１、側面１２、および裏面１３を有している。オモテ面１１および裏面１３は、互いに略平行な平面内に延びている。側面１２は、オモテ面１１と裏面１３とを接続している。
【００１２】
側面１２は、曲面１２ａと、平坦面１２ｂと、曲面１２ｃとを有している。曲面１２ａは、オモテ面１１と平坦面１２ｂとを接続している。平坦面１２ｂは、曲面１２ａと曲面１２ｃとを接続している。曲面１２ｃは、平坦面１２ｂと裏面１３とを接続している。
【００１３】
そして本実施形態では、ディスプレイ２０が、第１筐体１０のオモテ面１１、側面１２、および裏面１３を連続して覆っている。本明細書において「連続して覆う」とは、継ぎ目の無い１枚のディスプレイ２０によって覆うことをいう。つまり本実施形態では、１枚のディスプレイ２０がオモテ面１１から裏面１３にまたがって配置されている。
なお、ディスプレイ２０はオモテ面１１の全体を覆っていてもよいし、オモテ面１１の一部を覆っていてもよい。同様に、ディスプレイ２０は側面１２および裏面１３の全体を覆っていてもよいし、一部を覆っていてもよい。
【００１４】
ディスプレイ２０が、オモテ面１１の少なくとも一部と、側面１２の少なくとも一部と、裏面１３の少なくとも一部と、を覆っていることで、図１の矢印Ａ〜Ｃのいずれの方向からもディスプレイ２０を視認可能となっている。
また、ディスプレイ２０が、第１筐体１０のオモテ面１１、側面１２、および裏面１３を連続して覆うことで、すべての面の画像制御を一系統で行うことができる。これにより、例えば、オモテ面及び裏面それぞれに独立したディスプレイを設ける場合と比較して、部品点数を減らすことができ、また薄型化することができる。
【００１５】
このように、本実施形態によれば、第１筐体１０のオモテ面１１だけでなく、側面１２および裏面１３からも１つのディスプレイ２０を視認可能な電子機器１Ａを提供することができる。このように多くの方向からディスプレイを視認可能とする方法として、複数のディスプレイを筐体のオモテ面、側面、および裏面に設けることも考えられる。しかしながら、本実施形態によれば、複数のディスプレイを筐体に取り付ける場合と比較して、ディスプレイを動作させるための電子部品（電気系統）の数を削減し、電子機器の小サイズ化およびコストダウンを図ることができる。
【００１６】
また、ディスプレイ２０が、オモテ面１１と裏面１３とを接続する側面１２を覆っている。このため、複数の電子機器１Ａを重ねた場合などに、ディスプレイ２０のうち側面１２を覆っている部分を見出し（背表紙）のように用いることも可能である。
【００１７】
また、側面１２の一部が曲面１２ａ、１２ｃとなっている。このため、ディスプレイ２０の折り返し部における曲率半径が大きくなり、ディスプレイ２０の故障の発生などを抑制することができる。
【００１８】
なお、図１の例では側面１２の一部が曲面となっていたが、図２のように、側面１２の全体が曲面となっていてもよい。この場合、ディスプレイ２０の折り返し部における曲率半径をより大きくして、ディスプレイ２０の故障の発生などをより確実に抑制することができる。
すなわち、側面１２の少なくとも一部が曲面となっていればよい。あるいは、側面１２を曲面とせず、他の手段によってディスプレイ２０の折り返し部の曲率半径が大きくなるように構成してもよい。
【００１９】
（第２実施形態）
次に、本発明に係る第２実施形態について説明するが、第１実施形態と基本的な構成は同様である。このため、同様の構成には同一の符号を付してその説明は省略し、異なる点についてのみ説明する。
図３に示すように、本実施形態の電子機器１Ｂは、ヒンジＨを介して第１筐体１０に連結された第２筐体３０をさらに備えている。
【００２０】
第２筐体３０は、扁平な板状に形成されており、オモテ面３１、側面３２、および裏面３３を有している。オモテ面３１および裏面３３は、互いに略平行な平面内に延びている。側面３２は、オモテ面３１と裏面３３とを接続している。
【００２１】
側面３２は、曲面３２ａと、平坦面３２ｂと、曲面３２ｃとを有している。曲面３２ａは、オモテ面３１と平坦面３２ｂとを接続している。平坦面３２ｂは、曲面３２ａと曲面３２ｃとを接続している。曲面３２ｃは、平坦面３２ｂと裏面３３とを接続している。
【００２２】
第２筐体３０は、第１筐体１０に対して、閉位置と開位置との間でヒンジＨ回りに回動可能となっている。なお、本実施形態では、第１筐体１０のオモテ面１１と第２筐体３０のオモテ面３１とが対向する場合の第２筐体３０の位置を、閉位置という（図３参照）。また、オモテ面１１とオモテ面３１とが対向しない場合の第２筐体３０の位置を、開位置という（図４参照）。
【００２３】
ヒンジＨは、樹脂などにより形成されて可撓性を有していてもよい。あるいは、他の方式のヒンジを採用してもよい。例えば、複数のリンクを複数のジョイントによって直列的に接続したヒンジを採用してもよい。この場合、リンク同士の回動可能な角度を適切に設定することで、第１筐体１０と第２筐体３０とが折り畳まれたときに、ヒンジＨの近傍におけるディスプレイ２０の曲率半径を大きく保つことができる。したがって、ヒンジＨの近傍におけるディスプレイ２０の故障などを抑制することができる。
【００２４】
本実施形態によれば、第１実施形態と同様に、ディスプレイ２０が第１筐体１０のオモテ面１１から裏面１３にまたがって配置されている。これにより、従来よりも多くの方向から１つのディスプレイ２０を視認可能な電子機器１Ｂを提供することができる。
【００２５】
さらに本実施形態では、１つのディスプレイ２０が、第１筐体１０の各面１１〜１３だけでなく、第２筐体３０のオモテ面３１の少なくとも一部を覆っている。換言すると、ディスプレイ２０が、第１筐体１０の裏面１３から、第１筐体１０の側面１２及びオモテ面１１を経由して、第２筐体３０のオモテ面３１までを連続して覆っている。このため、第２筐体３０を開位置とすると、ディスプレイ２０のうちオモテ面１１およびオモテ面３１を覆っている部分が展開される（図４参照）。これにより、図５（ｂ）に示すように、一方向から視認可能なディスプレイ２０のサイズを大きくすることができる。
また、ディスプレイ２０が、第１筐体１０の裏面１３から、第１筐体１０の側面１２及びオモテ面１１を経由して、第２筐体３０のオモテ面３１までを連続して覆うことで、すべての面の画像制御を一系統で行うことができる。これにより、例えば、第１筐体１０のオモテ面、裏面及び第２筐体３０のオモテ面３１それぞれに独立したディスプレイを設ける場合と比較して、大幅に部品点数を減らすことができ、また折りたたんだ際の厚みを大幅に小さくすることができる。
【００２６】
一方、第２筐体３０を閉位置とすると、電子機器１Ｂが折りたたまれてコンパクトになる（図３参照）。そしてこの状態でも、図５（ａ）に示すようにディスプレイ２０のうち側面１２および裏面１３を覆っている部分が視認可能である。つまり、電子機器１Ｂが折りたたまれた状態のまま、ディスプレイ２０の一部が視認可能となっている。
【００２７】
また、ディスプレイ２０が第２筐体３０の側面３２の少なくとも一部および裏面３３の少なくとも一部を覆っている。換言すると、ディスプレイ２０が、第１筐体１０の裏面１３から、第１筐体１０の側面１２及びオモテ面１１、並びに第２筐体３０のオモテ面３１及び側面３２を経由して、第２筐体３０の裏面３３までを連続して覆っている。このため、第２筐体３０を閉位置としたとき、ディスプレイ２０のうち第２筐体３０の側面３２および裏面３３を覆う部分についても視認可能となっている。こちらもすべての面の画像制御を一系統で行うことができ、第１筐体１０のオモテ面、裏面、第２筐体３０のオモテ面３１及び裏面３３それぞれに独立したディスプレイを設ける場合と比較して、大幅に部品点数を減らすことができ、また折りたたんだ際の厚みを大幅に小さくすることができる。
【００２８】
また、ディスプレイ２０の表面にはタッチセンサが形成され、第１筐体１０または第２筐体３０の内部には、当該タッチセンサを制御する制御部が設けられていてもよい。さらに、第１筐体１０および第２筐体３０の開状態および閉状態を検出する検出部が、第１筐体１０および第２筐体３０の少なくとも一方に設けられていてもよい。そして、制御部は、第１筐体１０および第２筐体３０が開いた開状態では、タッチセンサのうち、少なくとも第１筐体１０のオモテ面１１および第２筐体３０のオモテ面３１を覆う部分を有効とするように構成されていてもよい。また、制御部は、第１筐体１０および第２筐体３０が折り畳まれた閉状態では、タッチセンサのうち、少なくとも第１筐体１０の裏面１３および側面１２を覆う部分を有効としてもよい。この場合、開状態および閉状態のいずれであっても、ディスプレイ２０のうち視認可能な部分をタッチパネルとして操作することが可能となる。
【００２９】
なお、電子機器１Ｂの用途としては、例えばディスプレイ２０のうち第１筐体１０のオモテ面１１および第２筐体３０のオモテ面３１を覆っている部分をメインディスプレイとし、その他の部分をサブディスプレイとすることが考えられる。つまり、図５（ｂ）の状態では、ディスプレイ２０のうちオモテ面１１およびオモテ面３１を覆う部分（メインディスプレイ）に画像を表示してもよい。その一方で、図５（ａ）の状態では、ディスプレイ２０のうち側面１２、裏面１３、側面３２、および裏面３３を覆う部分（サブディスプレイ）に画像を表示してもよい。この場合、ディスプレイ２０の画像表示領域を、第２筐体３０が開位置にあるか閉位置にあるかに応じて切り替えてもよい。
【００３０】
なお、本発明の技術的範囲は前記実施の形態に限定されず、本発明の趣旨を逸脱しない範囲において種々の変更を加えることが可能である。
【００３１】
例えば、前記第２実施形態において、ディスプレイ２０が裏面３３を覆っていなくてもよい。つまり、ディスプレイ２０は、第１筐体１０の裏面１３から、第１筐体１０の側面１２及びオモテ面１１、並びに第２筐体３０のオモテ面３１を経由して、第２筐体３０の側面１２までを連続して覆っていてもよい。
また、ディスプレイ２０が側面３２を覆っていなくてもよい。
【００３２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【００３３】
例えば、第２実施形態の第１筐体１０および第２筐体３０において、側面１２および側面３２の全体が曲面となっていてもよい（図２参照）。
あるいは、側面１２および側面３２に曲面を形成せず、他の手段によって、ディスプレイ２０の折り返し部の曲率半径が大きくなるようにしてもよい。
【符号の説明】
【００３４】
１Ａ、１Ｂ…電子機器  １０…第１筐体  １１…オモテ面  １２…側面  １３…裏面  １２ａ、１２ｃ…曲面  ２０…ディスプレイ  ３０…第２筐体  ３１…オモテ面  ３２…側面  ３３…裏面  Ｈ…ヒンジ
【図１】
2020061084.tif 000003
【図２】
2020061084.tif 000004
【図３】
2020061084.tif 000005
【図４】
2020061084.tif 000006
【図５】
2020061084.tif 000007